(57)【要約】【課題】組立や分解の容易さを確保しつつ上下枠と縦枠を強固に連結できるサッシを提供する。【解決手段】上下枠及び左右の縦枠を方形状に枠組みした枠体１内に障子２、３を納めると共に、縦枠３０を左右の溝形材８間に取付けてなり、下枠２０と左右の縦枠３０、及び上枠１０と左右の縦枠３０はそれぞれダボ５０を介して連結され、下枠２０には両端部にダボ５０の一方側を構成する下枠固定部５１を挿入固定する取付部２２が形成され、縦枠３０はダボ５０の他端側を構成する縦枠固定部５２を挿入固定する中空部３１を有し、縦枠３０の中空部３１には被係止部３５が形成され、ダボ５０の縦枠固定部５２には、縦枠固定部５２が縦枠３０の中空部３１に挿入された状態で被係合部３５に対し係止される係止部５４が形成されてなる。【選択図】図３
2011202403.tif 000002
【特許請求の範囲】
【請求項１】
上下枠及び左右の縦枠を方形状に枠組みした枠体内に障子を納めると共に、前記縦枠を左右の溝形材間に取付けてなるサッシにおいて、
前記下枠と左右の縦枠、及び前記上枠と左右の縦枠はそれぞれダボを介して連結され、前記下枠には両端部に前記ダボの一方側を構成する下枠固定部を挿入固定する取付部が形成され、前記縦枠は前記ダボの他端側を構成する縦枠固定部を挿入固定する中空部を有し、
前記縦枠の中空部には被係止部が形成され、前記ダボの縦枠固定部には、該縦枠固定部が前記縦枠の中空部に挿入された状態で前記被係合部に対し係止される係止部が形成されてなることを特徴とするサッシ。
【請求項２】
前記被係止部は前記中空部を形成する縦枠内周壁に形成される貫通孔からなり、前記係止部は前記貫通孔に対して弾性的に出没自在な突起部からなることを特徴とする請求項１記載のサッシ。
【請求項３】
前記突起部は前記縦枠固定部に片持ち状に支持される腕部に形成され、前記縦枠固定部は前記突起部の突出方向と反対側に前記突起部と対向するリブを有することを特徴とする請求項２記載のサッシ。
【請求項４】
前記枠体には内外障子が引き違い状に納められ、前記内障子が配置される側の縦枠には、内周面の室内寄りに縦フィン部が形成されると共に、該縦フィン部より室外寄りに前記被係止部が形成され、前記外障子が配置される側の縦枠には、内周面の室外寄りに縦フィン部が形成されると共に、該縦フィン部より室内寄りに前記被係止部が形成され、
前記縦枠固定部の係止部は室内外の２箇所に形成され、前記縦枠の室内寄りの被係止部または室外寄りの被係止部のいずれかに係止されることを特徴とする請求項１〜３のいずれか１項に記載のサッシ。
【発明の詳細な説明】
【技術分野】
【０００１】
本発明は、建物の開口部に設けられる左右一対の溝形材間に取付けられるサッシに関し、特に枠体をダボを介して枠組みしてなるサッシに関する。
【背景技術】
【０００２】
従来、工事現場等で用いられる組立ハウスとしては、左右両側にパネル材を飲み込ませることのできる凹部を有した溝形材が支柱として縦方向に設けられ、隣り合う溝形材間にパネル材を納めて壁面とするものが知られている。また、壁面内には適宜パネル体が配置されない開口部が設けられ、この開口部にサッシが取付けられる。この場合、サッシの縦枠を左右の溝形材間に上から落とし込むことで取付けがなされる。サッシを溝形材間に取付けたら、サッシの上枠の上方にさらにパネル材を取付ける。このようなサッシは、例えば特許文献１に開示されている。
【先行技術文献】
【特許文献】
【０００３】
【特許文献１】特開２００８−６９５８１号公報
【発明の概要】
【発明が解決しようとする課題】
【０００４】
従来の組立ハウスに用いられるサッシは、上下枠及び左右の縦枠を方形状に枠組みした枠体内に障子を納めてなるものであり、上下枠の両端部には縦方向に開口する取付部が形成され、取付部にはダボの一方側をネジ止め固定し、ダボの他方側を縦枠の中空部に挿入することで、上下枠と縦枠を連結し枠組みするようにしている。すなわち、ダボは縦枠に対しては、中空部に挿入されているだけで、ビス等での固定はなされていない。これにより、仮設の建物である組立ハウスを撤去する際、容易に枠体を分解できるようにしていた。
【０００５】
このように、組立ハウスのサッシは、縦枠と上下枠とがビス等で固定されていないため、枠材が分解された状態でなければ枠体を運搬することができなかった。現場の状況によっては、枠体を枠組みされた状態で運搬したいこともあり、枠組みされた状態と分解された状態のいずれでも運搬できる枠体を有するサッシが望まれていた。また、縦枠と上下枠とが固定されていないため、枠体が設置された後において、下枠を蹴って押し下げたり、あるいは手で上枠を押し上げたりした場合に、上下枠の位置がずれる可能性もあり、枠体を強固に連結する必要があった。
【０００６】
本発明は前記課題を鑑みてなされたものであり、組立や分解の容易さを確保しつつ上下枠と縦枠を強固に連結できるサッシを提供することを目的とする。
【課題を解決するための手段】
【０００７】
前記課題を解決するため、本発明に係るサッシは、上下枠及び左右の縦枠を方形状に枠組みした枠体内に障子を納めると共に、前記縦枠を左右の溝形材間に取付けてなるサッシにおいて、
前記下枠と左右の縦枠、及び前記上枠と左右の縦枠はそれぞれダボを介して連結され、前記下枠には両端部に前記ダボの一方側を構成する下枠固定部を挿入固定する取付部が形成され、前記縦枠は前記ダボの他端側を構成する縦枠固定部を挿入固定する中空部を有し、
前記縦枠の中空部には被係止部が形成され、前記ダボの縦枠固定部には、該縦枠固定部が前記縦枠の中空部に挿入された状態で前記被係合部に対し係止される係止部が形成されてなることを特徴として構成されている。
【０００８】
また、本発明に係るサッシは、前記被係止部は前記中空部を形成する縦枠内周壁に形成される貫通孔からなり、前記係止部は前記貫通孔に対して弾性的に出没自在な突起部からなることを特徴として構成されている。
【０００９】
さらに、本発明に係るサッシは、前記突起部は前記縦枠固定部に片持ち状に支持され、前記縦枠固定部は前記突起部の突出方向と反対側に前記突起部と対向するリブを有することを特徴として構成されている。
【００１０】
さらにまた、本発明に係るサッシは、前記枠体には内外障子が引き違い状に納められ、前記内障子が配置される側の縦枠には、内周面の室内寄りに縦フィン部が形成されると共に、該縦フィン部より室外寄りに前記被係止部が形成され、前記外障子が配置される側の縦枠には、内周面の室外寄りに縦フィン部が形成されると共に、該縦フィン部より室内寄りに前記被係止部が形成され、
前記縦枠固定部の係止部は室内外の２箇所に形成され、前記縦枠の室内寄りの被係止部または室外寄りの被係止部のいずれかに係止されることを特徴として構成されている。
【発明の効果】
【００１１】
本発明に係るサッシによれば、縦枠の中空部には被係止部が形成され、ダボの縦枠固定部には、縦枠固定部が縦枠の中空部に挿入された状態で被係合部に対し係止される係止部が形成されてなることにより、縦枠と上枠及び下枠とが、容易には外れないように強固に固定することができ、上下枠の位置が大きくずれることを防止することができる。
【００１２】
また、本発明に係るサッシによれば、被係止部は中空部を形成する縦枠内周壁に形成される貫通孔からなり、係止部は貫通孔に対して弾性的に出没自在な突起部からなることにより、突起部を弾性変形させることで、係止部による係止を解除することができるので、枠体を分解することを容易とすることができる。
【００１３】
さらに、本発明に係るサッシによれば、突起部は縦枠固定部に片持ち状に支持され、縦枠固定部は突起部の突出方向と反対側に突起部と対向するリブを有することにより、突起部がリブに当接して弾性変形が規制され、係止部の破損を防止することができる。
【００１４】
さらにまた、本発明に係るサッシによれば、内障子が配置される側の縦枠には、内周面の室内寄りに縦フィン部が形成され、縦フィン部より室外寄りに被係止部が形成され、外障子が配置される側の縦枠には、内周面の室外寄りに縦フィン部が形成され、縦フィン部より室内寄りに被係止部が形成され、縦枠固定部の係止部は室内外の２箇所に形成され、縦枠の室内寄りの被係止部または室外寄りの被係止部のいずれかに係止されることにより、左右の縦枠でダボを共通化することができ、部品の種類を減らしてコストダウンを図ることができると共に、部品を区別する必要がないので施工性も良好にすることができる。
【図面の簡単な説明】
【００１５】
【図１】本実施形態におけるサッシの縦断面図である。
【図２】サッシの横断面図である。
【図３】枠体の分解斜視図である。
【図４】図３の下枠と縦枠の連結部分付近拡大図である。
【図５】ダボの斜視図である。
【図６】ダボが挿入された縦枠の横断面図である。
【図７】第２の形態のダボの斜視図である。
【図８】第３の形態のダボの斜視図である。
【発明を実施するための形態】
【００１６】
本発明の実施形態について、図面に沿って詳細に説明する。図１には本実施形態におけるサッシの縦断面図を、図２にはサッシの横断面図を、それぞれ示している。これら各図に示すように、本実施形態におけるサッシは、組立ハウスの開口部Ａに取付けられる枠体１内に内障子２と外障子３とを引き違い状に納め、さらに室外側には網戸６を納めてなるものである。ここで、本実施形態における開口部Ａは、上下辺及び左右辺がいずれもパネル材７によって構成されている。
【００１７】
枠体１は、上枠１０と下枠２０及び左右の縦枠３０、３０を方形状に枠組みしてなり、後述するようにこれらはダボ５０を介してそれぞれ連結させる。図１に示すように上枠１０と下枠２０はそれぞれ外周面が開口部Ａを構成する上下のパネル材７に直接、接している。一方、図２に示すように左右の縦枠３０は、組立ハウスの支柱となる溝形材８を介してパネル材７と対向している。
【００１８】
溝形材８は、室内外方向に延びる基部８ａを中心に、パネル材７側には基部８ａを底面とした溝状に形成されるパネル材保持部８ｂが、枠体１側には基部８ａを底面とした溝状に形成される縦枠保持部８ｃが、それぞれ形成されている。パネル材保持部８ｂの開口幅と縦枠保持部８ｃの開口幅は、それぞれパネル材７の厚みと縦枠３０の外周面に形成される中空部３１の室内外方向幅とに略適合するように形成されている。
【００１９】
枠体１を開口部Ａに取付ける際には、左右の溝形材８を立設し、下側のパネル材を予め配置すると共に、上側については開放状としておく。ここで縦枠３０の中空部３１を溝形材８の縦枠保持部８ｃに保持させた上で、上方から下枠２０が下側のパネル材７に当接するまで落とし込み、その後に上側のパネル材７を取付けることにより、枠体１が開口部Ａに取付けられる。
【００２０】
上枠１０の上面には、パネル材７の室外部と接する部分に水密材１１が設けられており、これがパネル材７の下面に圧接することにより、上枠１０における水密性を確保している。これに加えて、上枠１０の上面にはパネル材７の室内面に当接するように突出したフィン部１２が形成されており、これによっても室内側に雨水等が浸入しないようにしている。
【００２１】
下枠２０の下部は、下方に設けられるパネル材７の上端部を飲み込むことができるように溝状に形成されており、これによって外部から雨水等が浸入しないようにしている。また、縦枠３０には、中空部３１より室内側と室外側にそれぞれ水密材３２が設けられており、これらは溝形材８の対向する面に当接するようにされており、これによって外部から雨水等が浸入しないようにしている。
【００２２】
内障子２と外障子３は、それぞれ上框４０と下框４１及び左右の縦框４２、４２を方形状に框組みしてなる框体４内にガラス体５を納めてなるものである。下框４１の下部には戸車４１ａが設けられており、これが下枠２０の上面に形成されるレール２１に載置されて内障子２及び外障子３を長手方向に走行自在としている。
【００２３】
次に、枠体１の連結構造について説明する。図３には、枠体１の分解斜視図を示している。この図に示すように、上枠１０と縦枠３０は、上枠１０に挿入固定されるダボ５０を介して連結され、下枠２０と縦枠３０は、下枠２０に挿入固定されるダボ５０を介して連結される。ダボ５０は、いずれも合成樹脂製の部材からなり、上枠１０と縦枠３０にまたがって各中空部分に挿入されることにより、上枠１０と縦枠３０とを連結し、また下枠２０と縦枠３０にまたがって各中空部分に挿入されることにより、下枠２０と縦枠３０とを連結するものである。
【００２４】
上枠１０には両端面から外方に向かって突出する取付部１３、１３が形成されており、これら取付部１３に対してそれぞれダボ５０が挿入固定されている。取付部１３は内部を中空状に形成されており、取付部１３の外面から内側のダボ５０をネジ止めし固定している。
【００２５】
下枠２０にも両端面から外方に向かって突出する取付部２２、２２が形成されており、これら取付部２２に対してそれぞれダボ５０が挿入固定されている。取付部２２は内部を中空状に形成されており、取付部２２の外面から内側のダボ５０をネジ止めし固定している。
【００２６】
縦枠３０は、外周側に形成される中空部３１を有し、上枠１０の取付部１３に挿入固定されたダボ５０が縦枠３０の中空部３１に上端面から挿入されることで、上枠１０と縦枠３０が連結され、下枠２０の取付部２２に挿入固定されたダボ５０が縦枠３０の中空部３１に下端面から挿入されることで、下枠２０と縦枠３０が連結される。
【００２７】
図５には、ダボ５０の斜視図を示している。この図に示すように、ダボ５０は一方側が上枠１０の取付部１３または下枠２０の取付部２２に挿入される横枠固定部５１として、他方側が縦枠３０の中空部３１に挿入される縦枠固定部５２として、それぞれ形成されている。
【００２８】
ダボ５０を構成する横枠固定部５１は、上枠１０の取付部１３及び下枠２０の取付部２２の内面形状に略適合する外形状を有しており、また横枠固定部５１にはネジ孔５３が形成されているので、取付部１３、２２に挿入された横枠固定部５１は、取付部１３、２２の外面からネジ孔５３に対しネジが螺合されることで、固定される。
【００２９】
ダボ５０を構成する縦枠固定部５２は、縦枠３０の中空部３１の内面形状に略適合する外形状を有している。縦枠固定部５２のうち縦枠３０の内周側を向く面には、２箇所に係止部としての突起部５４が形成される。
【００３０】
突起部５４は、縦枠固定部５２の上端部分に片持ち状に支持されてなる腕部５５の先端部分に形成され、縦枠３０の内周側に向かって中空部３１の内面形状から突出するように形成されている。この構成により、突起部５４は縦枠固定部５２から弾性的に出没自在となるようにされている。したがって、縦枠固定部５２を中空部３１に挿入すると、中空部３１の内面形状から突出する突起部５４を有する腕部５５は、中空部３１の内面によって縦枠固定部５２の内側方向へ押圧された状態となる。
【００３１】
一方、図３に示すように、縦枠３０の中空部３１を構成する内周壁３４には、上端近傍と下端近傍にそれぞれ被係止部となる貫通孔３５が形成されている。貫通孔３５は、突起部５４を挿通可能な円形状に形成されている。図４には、図３の下枠２０と縦枠３０の連結部分付近拡大図を示している。この図に示すように、ダボ５０が下枠２０に挿入された状態で、縦枠固定部５２の突起部５４のうち一方が、縦枠３０の貫通孔３５に対応する位置に配置され、縦枠３０に縦枠固定部５２を挿入させることにより、突起部５４が内周壁３４の内面側から貫通孔３５に対して係止されるようになっている。
【００３２】
図６には、ダボ５０が挿入された縦枠３０の横断面図を示している。この図に示すように突起部５４は、貫通孔３５の位置では押圧されない状態となるので、腕部５５が元の形状となり、貫通孔３５から縦枠３０の内周面側に露出して係止された状態となる。
【００３３】
縦枠３０の内周面には、内障子２または外障子３の外周面と対向する位置に縦フィン部３６が形成されている。縦フィン部３６は、内障子２が配置される側の縦枠３０においては室内側寄りに、外障子３が配置される側の縦枠３０においては室外側寄りに、それぞれ形成されている。縦枠３０の貫通孔３５は、縦フィン部３６と干渉しないように設けられており、したがって内障子２が配置される側の縦枠３０においては室外側寄りに、外障子３が配置される側の縦枠３０においては室内側寄りに、それぞれ形成される。
【００３４】
前述のように、ダボ５０には２箇所に突起部５４が形成されており、ダボ５０が縦枠３０の中空部３１に挿入されることにより、そのいずれか一方の突起部５４が、縦枠３０の貫通孔３５に対して係止される。すなわち、図６に示すように、突起部５４は、室内外のいずれか一方が貫通孔３５から縦枠３０の内周面に露出し、他方は中空部３１内で押圧された状態となっている。突起部５４が室内外２箇所に形成されていて、いずれか一方が縦枠３０の貫通孔３５に係止されるようにしたので、左右の縦枠３０でダボ５０を共通化することができ、部品の種類を減らしてコストダウンを図ることができると共に、部品を区別する必要がないので施工性も良好にすることができる。
【００３５】
このように、ダボ５０の縦枠固定部５２に係止部たる突起部５４を形成し、対応する縦枠３０の内周壁３４に被係止部たる貫通孔３５を形成し、縦枠固定部５２の中空部３１に対する挿入に伴い、係止部を被係止部に対し係止するようにしたので、縦枠３０と上枠１０及び下枠２０とが、容易には外れないように強固に固定することができる。一方で、突起部５４を押圧して腕部５５を弾性変形させることで、係止部の係止を解除することができるので、枠体１を分解することも容易に可能である。
【００３６】
また、図６に示すように、ダボ５０の縦枠固定部５２には、突起部５４の突出方向と反対側に、突起部５４と対向するリブ５６が形成されている。枠体１を分解する際などにおいて、突起部５４が強く押圧されると、腕部５５が弾性的に変形するが、リブ５６が形成されていることにより、突起部５４がリブ５６に当接して腕部５５の変形が規制される。これにより、腕部５５の破損を防止することができる。
【００３７】
係止部を有するダボ５０としては、別の形態のものであってもよい。図７には、第２の形態のダボ５０の斜視図を示している。本形態のダボ５０は、第１の形態のダボ５０において突起部５４が設けられる位置に、それぞれ固定孔６０が形成されており、この固定孔６０に対してプッシュリベット６１が挿通される。プッシュリベット６１は、挿入先端側の係合部６１ａと、挿入後端側で係合部６１ａ内に押し込み自在な押圧部６１ｂと、係合部６１ａと押圧部６１ｂの間に設けられる鍔部６１ｃとを有してなるものである。
【００３８】
プッシュリベット６１は、ダボ５０の縦枠固定部５２が縦枠３０の中空部３１に挿入された状態で、係合部６１ａが被係止部たる縦枠３０の貫通孔３５からダボ５０の固定孔６０に対して挿通されると共に、鍔部６１ｃが縦枠３０の内周面に当接し、この状態で押圧部６１ｂを押し込むことにより、係合部６１ａがダボ５０の固定孔６０内に係合固定され、ダボ５０の縦枠固定部５２が縦枠３０に固定される。このようなダボ５０の構成によっても、容易にダボ５０を縦枠３０に固定することができる。
【００３９】
図８には、第３の形態のダボ５０の斜視図を示している。本形態のダボ５０は、第１の形態の突起部５４の代わりに、固定孔６０から突出する突起部材６２を設けてなり、突起部材６２は固定孔６０内に設けられるバネ６３によって突出方向に付勢され、バネ６３は固定孔６０の突起部材６２とは反対側に設けられる押さえ部材６４によって、突起部材６２を付勢するように構成されている。
【００４０】
第３の形態のダボ５０は、第１の形態のダボ５０において、突起部５４が腕部５５により弾性を有するように支持されていたのと同様、バネ６３の付勢力により弾性を有するように構成されている。したがって、第１の形態のダボ５０と同様、縦枠固定部５２を縦枠３０の中空部３１に挿入するのに伴い、中空部３１の内面により突起部材６２が押圧され、貫通孔３５の位置で突起部材６２が縦枠３０の内周面から露出することにより、突起部材６２が被係止部たる貫通孔３５に係止され、ダボ５０の縦枠固定部５２が縦枠３０に固定される。すなわち、第１の形態のダボと同様に取り扱うことができる。
【００４１】
以上、本発明の実施形態について説明したが、本発明の適用は本実施形態には限られず、その技術的思想の範囲内において様々に適用されうるものである。
【符号の説明】
【００４２】
１    枠体
２    内障子
３    外障子
８    溝形材
１０    上枠
１３    取付部
２０    下枠
２２    取付部
３０    縦枠
３１    中空部
３４    内周壁
３５    貫通孔
３６    縦フィン部
５０    ダボ
５１    下枠固定部
５２    縦枠固定部
５３    ネジ孔
５４    突起部
５５    腕部
５６    リブ
【図１】
2011202403.tif 000003
【図２】
2011202403.tif 000004
【図３】
2011202403.tif 000005
【図４】
2011202403.tif 000006
【図５】
2011202403.tif 000007
【図６】
2011202403.tif 000008
【図７】
2011202403.tif 000009
【図８】
2011202403.tif 000010